(57)【要約】【課題】携帯端末にアドホックネットワークを無作為に構築させることなく、探索対象の携帯端末を探索する。【解決手段】探索サーバ１０は、探索端末ＩＤを含むＰｕｓｈ信号を送出する。基地局３０は、探索サーバ１０からＰｕｓｈ信号を受信すると、Ｐｕｓｈ信号を通信エリア内の携帯端末４０に転送し、通信エリア内の携帯端末４０から探索端末の位置情報を受信すると、その位置情報を探索サーバ１０に転送する。携帯端末４０は、基地局３０または他の携帯端末４０からＰｕｓｈ信号が転送されると、Ｐｕｓｈ信号内の探索端末ＩＤと自端末ＩＤの一致を照合し、照合結果が一致を示す場合、自端末の位置情報をＰｕｓｈ信号の転送元に送信する。一方、照合結果が不一致を示す場合、他の携帯端末４０との間でアドホックネットワークを構築してＰｕｓｈ信号を転送し、その転送先から探索端末の位置情報が転送されると、その位置情報をＰｕｓｈ信号の転送元に転送する。【選択図】図１
2008206025.tif 000002
【特許請求の範囲】
【請求項１】
複数の携帯端末を有し、前記複数の携帯端末のうち探索対象の携帯端末の位置情報を取得するための携帯端末探索システムにおいて、
前記探索対象の携帯端末のＩＤを含む探索信号を送出する探索サーバと、
前記探索サーバから前記探索信号を受信した場合、当該探索信号を自局の通信エリア内の携帯端末に転送し、自局の通信エリア内の携帯端末から前記探索対象の携帯端末の位置情報を受信した場合、当該位置情報を前記探索サーバに転送する基地局と、を有し、
前記複数の携帯端末の各々は、
基地局と通信を行う基地局通信部と、
他の携帯端末とアドホック通信を行うアドホック通信部と、
自端末のＩＤを記憶する記憶部と、
自端末の位置情報を取得する位置情報取得部と、
前記基地局から前記基地局通信部を介して前記探索信号を受信した場合、または、他の携帯端末から前記アドホック通信部を介してアクセスを受けて前記探索信号を受信した場合、当該探索信号に含まれている前記探索対象の携帯端末のＩＤと前記記憶部に記憶されている自端末のＩＤとが一致するか否かを照合する照合部と、
前記照合部による照合結果が一致を示す場合、前記位置情報取得部により取得された自端末の位置情報を、前記探索対象の携帯端末の位置情報として、前記基地局通信部を介して前記基地局に送信するか、または、前記アドホック通信部を介して前記探索信号の転送元の他の携帯端末に送信する位置情報送信部と、
前記照合部による照合結果が不一致を示す場合、他の携帯端末に前記アドホック通信部を介してアクセスしてアドホックネットワークを構築し、当該他の携帯端末に前記探索信号を転送する探索信号転送部と、
前記探索信号の転送先の他の携帯端末から前記アドホック通信部を介して前記探索対象の携帯端末の位置情報を受信した場合、当該位置情報を、前記基地局通信部を介して前記基地局に転送するか、または、前記アドホック通信部を介して前記探索信号の転送元の他の携帯端末に転送する位置情報転送部と、を有する携帯端末探索システム。
【請求項２】
前記アドホック通信部は、前記位置情報転送部による前記位置情報の転送後に、他の携帯端末との間に構築されたアドホックネットワークを切断する、請求項１に記載の携帯端末探索システム。
【請求項３】
複数の携帯端末のうち探索対象の携帯端末の位置情報を取得するための携帯端末探索システムにおいて、前記複数の携帯端末の１つを構成する携帯端末であって、
基地局と通信を行う基地局通信部と、
他の携帯端末とアドホック通信を行うアドホック通信部と、
自端末のＩＤを記憶する記憶部と、
自端末の位置情報を取得する位置情報取得部と、
探索サーバから送出された前記探索対象の携帯端末のＩＤを含む探索信号を、前記基地局から前記基地局通信部を介して受信した場合、または、他の携帯端末から前記アドホック通信部を介してアクセスを受けて受信した場合、当該探索信号に含まれている前記探索対象の携帯端末のＩＤと前記記憶部に記憶されている自端末のＩＤとが一致するか否かを照合する照合部と、
前記照合部による照合結果が一致を示す場合、前記位置情報取得部により取得された自端末の位置情報を、前記探索対象の携帯端末の位置情報として、前記基地局通信部を介して前記基地局に送信するか、または、前記アドホック通信部を介して前記探索信号の転送元の他の携帯端末に送信する位置情報送信部と、
前記照合部による照合結果が不一致を示す場合、他の携帯端末に前記アドホック通信部を介してアクセスしてアドホックネットワークを構築し、当該他の携帯端末に前記探索信号を転送する探索信号転送部と、
前記探索信号の転送先の他の携帯端末から前記アドホック通信部を介して前記探索対象の携帯端末の位置情報を受信した場合、当該位置情報を、前記基地局通信部を介して前記基地局に転送するか、または、前記アドホック通信部を介して前記探索信号の転送元の他の携帯端末に転送する位置情報転送部と、を有する携帯端末。
【請求項４】
前記アドホック通信部は、前記位置情報転送部による前記位置情報の転送後に、他の携帯端末との間に構築されたアドホックネットワークを切断する、請求項３に記載の携帯端末。
【発明の詳細な説明】
【技術分野】
【０００１】
本発明は、緊急時に探索対象の携帯端末の位置情報を取得するための携帯端末探索システム、携帯端末に関する。
【背景技術】
【０００２】
近年、災害発生時などの緊急時に、あるユーザを探索する場合、携帯電話などの携帯端末の高い普及率を利用して、そのユーザの携帯端末を探索するケースが増えている。
【０００３】
ただし、携帯端末を探索するには、雪山など基地局からの電波が届かない地域も多く存在するなど、インフラの面で未だ不安要素が残っている。
【０００４】
例えば、図５に示すように、基地局５０の通信エリア内に携帯端末６０（＃１）が位置し（圏内状態）、通信エリア外に携帯端末６０（＃２），６０（＃３）が位置する（圏外状態）場合を考える。この場合、基地局５０は、携帯端末６０（＃１）については、携帯端末６０（＃１）からの電波を受信できるため、位置情報の取得により探索が可能であるが、携帯端末６０（＃２），６０（＃３）については、携帯端末６０（＃２），６０（＃３）からの電波を受信できないため、探索することはできない。
【０００５】
そこで、最近は、基地局なしで携帯端末間の直接通信を可能とするアドホックネットワークを構築し、アドホック通信により、基地局の通信エリア外に位置する探索対象の携帯端末から位置情報を取得する技術が一部で開示されている（例えば、特許文献１参照）。
【特許文献１】特開２００６−５３７７５号公報
【発明の開示】
【発明が解決しようとする課題】
【０００６】
上述のように、探索対象の携帯端末が基地局の通信エリア外に位置する場合でも、アドホックネットワークを使用することで、探索の可能性は高まると考えられる。
【０００７】
しかし、無作為にアドホックネットワークを構築すると、アドホック通信によるアクセスが頻繁に発生する携帯端末では、データの送受信量が多くなるため、消費電力が増加し、通信時間が制限されてしまう。
【０００８】
そこで、本発明の目的は、携帯端末にアドホックネットワークを無作為に構築させることなく、探索対象の携帯端末を探索できる携帯端末探索システム、携帯端末を提供することにある。
【課題を解決するための手段】
【０００９】
上記目的を達成するために本発明は、
複数の携帯端末を有し、前記複数の携帯端末のうち探索対象の携帯端末の位置情報を取得するための携帯端末探索システムにおいて、
前記探索対象の携帯端末のＩＤを含む探索信号を送出する探索サーバと、
前記探索サーバから前記探索信号を受信した場合、当該探索信号を自局の通信エリア内の携帯端末に転送し、自局の通信エリア内の携帯端末から前記探索対象の携帯端末の位置情報を受信した場合、当該位置情報を前記探索サーバに転送する基地局と、を有し、
前記複数の携帯端末の各々は、
基地局と通信を行う基地局通信部と、
他の携帯端末とアドホック通信を行うアドホック通信部と、
自端末のＩＤを記憶する記憶部と、
自端末の位置情報を取得する位置情報取得部と、
前記基地局から前記基地局通信部を介して前記探索信号を受信した場合、または、他の携帯端末から前記アドホック通信部を介してアクセスを受けて前記探索信号を受信した場合、当該探索信号に含まれている前記探索対象の携帯端末のＩＤと前記記憶部に記憶されている自端末のＩＤとが一致するか否かを照合する照合部と、
前記照合部による照合結果が一致を示す場合、前記位置情報取得部により取得された自端末の位置情報を、前記探索対象の携帯端末の位置情報として、前記基地局通信部を介して前記基地局に送信するか、または、前記アドホック通信部を介して前記探索信号の転送元の他の携帯端末に送信する位置情報送信部と、
前記照合部による照合結果が不一致を示す場合、他の携帯端末に前記アドホック通信部を介してアクセスしてアドホックネットワークを構築し、当該他の携帯端末に前記探索信号を転送する探索信号転送部と、
前記探索信号の転送先の他の携帯端末から前記アドホック通信部を介して前記探索対象の携帯端末の位置情報を受信した場合、当該位置情報を、前記基地局通信部を介して前記基地局に転送するか、または、前記アドホック通信部を介して前記探索信号の転送元の他の携帯端末に転送する位置情報転送部と、を有することを特徴とする。
【００１０】
この構成によれば、携帯端末は、基地局または他の携帯端末から探索信号が転送されてくると、その探索信号に含まれている探索対象の携帯端末のＩＤと自端末ＩＤとが一致するか照合し、照合結果が一致を示す場合は、自端末の位置情報を探索信号の転送元に送信する。一方、照合結果が不一致を示す場合は、他の携帯端末との間でアドホックネットワークを構築して探索信号を転送し、その転送先から探索対象の携帯端末の位置情報が転送されてくると、探索端末の位置情報を探索信号の転送元に転送する。
【００１１】
したがって、緊急時に、探索端末が圏外状態にあるケースにおいても、探索サーバは、基地局経由で探索端末の位置情報を取得することができる。
【００１２】
また、携帯端末がアドホックネットワークを構築する契機は、探索信号を受信した時のみであるため、携帯端末がアドホックネットワークを無作為に構築して消費電力が増加し、通信時間が制限されてしまうことを回避できる。
【００１３】
なお、前記アドホック通信部は、前記位置情報転送部による前記位置情報の転送後に、他の携帯端末との間に構築されたアドホックネットワークを切断することとしても良い。
【００１４】
この構成によれば、携帯端末の消費電力を抑えることができる。
【発明の効果】
【００１５】
本発明によれば、緊急時に、探索端末が圏外状態にあるケースにおいても、探索サーバは、基地局経由で探索端末の位置情報を取得できるという効果が得られる。そのため、例えば、災害時の生存確認や瓦礫の下に埋もれた被害者を探索する補助となり得る。
【００１６】
また、携帯端末がアドホックネットワークを構築する契機は、探索信号を受信した時のみであるため、携帯端末がアドホックネットワークを無作為に構築して消費電力が増加し、通信時間が制限されてしまうことを回避できるという効果が得られる。
【発明を実施するための最良の形態】
【００１７】
以下に、本発明を実施するための最良の形態について図面を参照して説明する。
【００１８】
図１に示すように、本実施形態の携帯端末探索システムは、探索サーバ１０と、基地局３０と、ｎ個の携帯端末４０とを有している。なお、探索サーバ１０と基地局３０とは、ネットワーク２０を介して接続されている。
【００１９】
携帯端末４０の各々には、固有のＩＤが予め付与されている。
【００２０】
探索サーバ１０は、携帯端末４０のうち探索対象の携帯端末（以下、探索端末と称す）を探索する時に、探索信号であるＰｕｓｈ信号をネットワーク２０上に送出する。ここで、Ｐｕｓｈ信号には、探索端末のＩＤ（以下、探索端末ＩＤと称す）と、アドホックネットワーク構築命令である特定の文字列と、が含まれる。なお、探索サーバ１０は、上記機能を備えていれば、構成自体に限定はないため、内部構成については図示しない。
【００２１】
基地局３０は、探索サーバ１０からＰｕｓｈ信号を受信した場合、Ｐｕｓｈ信号を自局の通信エリア内の携帯端末４０に転送する。また、自局の通信エリア内の携帯端末４０から探索端末の位置情報を受信した場合、探索端末の位置情報を探索サーバ１０に転送する。なお、基地局３０は、上記機能を備えていれば、構成自体に限定はないため、内部構成については図示しない。
【００２２】
携帯端末４０は、Ｐｕｓｈ信号を受信した場合、Ｐｕｓｈ信号に含まれている探索端末ＩＤと自端末ＩＤとが一致すれば、自端末の位置情報をＰｕｓｈ信号の転送元に送信する。一方、Ｐｕｓｈ信号に含まれている探索端末ＩＤと自端末ＩＤとが不一致であれば、アドホックネットワークを構築し、他の携帯端末４０にＰｕｓｈ信号を転送し、その転送先から探索端末の位置情報を受信した場合、探索端末の位置情報をＰｕｓｈ信号の転送元に転送する。このように、携帯端末４０がアドホックネットワークを構築する契機は、Ｐｕｓｈ信号を受信した時のみとなる。
【００２３】
ここで、携帯端末４０について詳細に説明する。
【００２４】
まず、携帯端末４０の構成について図２を参照して説明する。
【００２５】
図２に示すように、携帯端末４０は、アンテナ４０１と、基地局通信部４０２と、アドホック通信部４０３と、記憶部４０４と、位置情報取得部であるＧＰＳ部４０５と、照合部４０６と、位置情報送信部４０７と、探索信号転送部であるＰｕｓｈ信号転送部４０８と、位置情報転送部４０９と、制御部４１０と、を有している。なお、図２は、本発明を実施するための本質的な部分のみを示し、その他の部分は省略している。
【００２６】
基地局通信部４０２は、基地局３０との間でアンテナ４０１を介して通信を行う。
【００２７】
アドホック通信部４０３は、他の携帯端末４０との間でアンテナ４０１を介してアドホック通信を行う。アドホック通信の例としては、ブルートゥース通信が挙げられる。
【００２８】
記憶部４０４は、自端末に予め付与された固有のＩＤを記憶するものであり、例えば、ＲＯＭにより実現される。
【００２９】
ＧＰＳ部４０５は、不図示のＧＰＳ衛星からアンテナ４０１に受信されたＧＰＳ信号に基づき自端末の位置を計測することで位置情報を取得する。
【００３０】
照合部４０６は、基地局３０から基地局通信部４０２を介して信号を受信した場合、または、他の携帯端末４０からアドホック通信部４０３を介してアクセスを受けて信号を受信した場合、受信した信号にアドホックネットワーク構築命令が含まれていれば、Ｐｕｓｈ信号であると判断し、Ｐｕｓｈ信号に含まれている探索端末ＩＤと記憶部４０４に記憶されている自端末ＩＤとが一致するか否かを照合する。
【００３１】
位置情報送信部４０７は、照合部４０６による照合結果が一致を示す場合、ＧＰＳ部４０５により取得された自端末の位置情報を、探索端末の位置情報として、基地局通信部４０２を介して基地局３０に送信するか、または、アドホック通信部４０３を介してＰｕｓｈ信号の転送元の他の携帯端末４０に送信する。
【００３２】
Ｐｕｓｈ信号転送部４０８は、照合部４０６による照合結果が不一致を示す場合、自端末とアドホック通信可能な他の携帯端末４０をアドホック通信部４０３を介して検索し、検索された他の携帯端末４０にアドホック通信部４０３を介してアクセスしてアドホックネットワークを構築し、他の携帯端末４０にＰｕｓｈ信号を転送する。
【００３３】
位置情報転送部４０９は、Ｐｕｓｈ信号の転送先の他の携帯端末４０からアドホック通信部４０３を介して探索端末の位置情報を受信した場合、探索端末の位置情報を、基地局通信部４０２を介して基地局３０に転送するか、または、アドホック通信部４０３を介してＰｕｓｈ信号の転送元の他の携帯端末４０に転送する。
【００３４】
制御部４１０は、自端末内の各構成要素の制御を行うものであり、例えば、ＣＰＵにより実現される。
【００３５】
次に、携帯端末４０の動作について図３を参照して説明する。
【００３６】
図３に示すように、携帯端末４０が基地局３０の通信エリア内に位置し、基地局３０からの電波を受信可能である場合（ステップ３０１）、基地局通信部４０２を介して基地局３０経由で他の携帯端末４０と通信する通常動作が行われる。この状態で、基地局３０から基地局通信部４０２を介してＰｕｓｈ信号を受信すると（ステップ３０２）、照合部４０６は、Ｐｕｓｈ信号に含まれている探索端末ＩＤと記憶部４０４に記憶されている自端末ＩＤとが一致するか否かを照合する（ステップ３０３）。照合部４０６による照合結果が一致を示す場合、ＧＰＳ部４０５は、自端末の位置情報を取得し（ステップ３０４）、位置情報送信部４０７は、ＧＰＳ部４０５により取得された自端末の位置情報を、探索端末の位置情報として、基地局通信部４０２を介して基地局３０に送信する（ステップ３０５）。また、照合部４０６による照合結果が不一致を示す場合、Ｐｕｓｈ信号転送部４０８は、自端末とアドホック通信可能な他の携帯端末４０をアドホック通信部４０３を介して検索する（ステップ３０６）。例えば、ブルートゥース通信の場合は、周囲に位置する他の携帯端末４０に対して、検索用のパケットをブロードキャストで送信し、これに対する応答パケットが送信されてくると、その応答パケットの送信元の他の携帯端末４０をアドホック通信可能と判断することになる。次に、Ｐｕｓｈ信号転送部４０８は、検索された他の携帯端末４０にアドホック通信部４０３を介してアクセスしてアドホックネットワークを構築し、他の携帯端末４０にＰｕｓｈ信号を転送する（ステップ３０７）。なお、ブルートゥース通信の場合は、検索された他の携帯端末４０との間で互いに認証を行った後にアクセスを行うことになる。以降、Ｐｕｓｈ信号の転送先の他の携帯端末４０から探索端末の位置情報を受信するまでは待機状態となる。Ｐｕｓｈ信号の転送先の他の携帯端末４０からアドホック通信部４０３を介して探索端末の位置情報を受信すると（ステップ３０８）、位置情報転送部４０９は、探索端末の位置情報を、基地局通信部４０２を介して基地局３０に転送する（ステップ３０９）。
【００３７】
一方、携帯端末４０が基地局３０の通信エリア外に位置し、基地局３０からの電波を受信不可能である場合（ステップ３０１）、他の携帯端末４０からＰｕｓｈ信号を受信するまでは待機状態となる。他の携帯端末４０からアドホック通信部４０３を介してアクセスを受けてＰｕｓｈ信号を受信すると（ステップ３１０）、照合部４０６は、Ｐｕｓｈ信号に含まれている探索端末ＩＤと記憶部４０４に記憶されている自端末ＩＤとが一致するか否かを照合する（ステップ３１１）。照合部４０６による照合結果が一致を示す場合、ＧＰＳ部４０５は、自端末の位置情報を取得し（ステップ３０４）、位置情報送信部４０７は、ＧＰＳ部４０５により取得された自端末の位置情報を、探索端末の位置情報として、アドホック通信部４０３を介してＰｕｓｈ信号の転送元の他の携帯端末４０に送信する（ステップ３０５）。また、照合部４０６による照合結果が不一致を示す場合、Ｐｕｓｈ信号転送部４０８は、自端末とアドホック通信可能な他の携帯端末４０をアドホック通信部４０３を介して検索する（ステップ３０６）。次に、Ｐｕｓｈ信号転送部４０８は、検索された他の携帯端末４０にアドホック通信部４０３を介してアクセスしてアドホックネットワークを構築し、他の携帯端末４０にＰｕｓｈ信号を転送する（ステップ３０７）。以降、Ｐｕｓｈ信号の転送先の他の携帯端末４０から探索端末の位置情報を受信するまでは待機状態となる。Ｐｕｓｈ信号の転送先の他の携帯端末４０からアドホック通信部４０３を介して探索端末の位置情報を受信すると（ステップ３０８）、位置情報転送部４０９は、探索端末の位置情報を、アドホック通信部４０３を介してＰｕｓｈ信号の転送元の他の携帯端末４０に転送する（ステップ３０９）。
【００３８】
以下、本実施形態の携帯端末探索システムの全体動作について図４を参照して説明する。ここでは、基地局３０の通信エリア内に携帯端末４０（＃１）が位置し（圏内状態）、通信エリア外に携帯端末４０（＃２），４０（＃３）が位置する（圏外状態）場合において、探索端末が携帯端末４０（＃３）で、探索端末ＩＤが“３３３３”であるとする。
【００３９】
図４に示すように、基地局３０は、検索サーバ１０からネットワーク２０を介して探索端末ＩＤ“３３３３”とアドホックネットワーク構築命令とを含むＰｕｓｈ信号を受信すると、そのＰｕｓｈ信号を通信エリア内に位置する携帯端末４０（＃１）に転送する。
【００４０】
携帯端末４０（＃１）においては、照合部４０６は、基地局３０から受信した信号にアドホックネットワーク構築命令が含まれているか否かを判断する。ここでは、アドホックネットワーク構築命令が含まれているため、照合部４０６は、Ｐｕｓｈ信号を受信したと判断し、Ｐｕｓｈ信号に含まれている探索端末ＩＤ“３３３３”と記憶部４０４に記憶されている自端末ＩＤとが一致するか否かを照合する。ここでは、自端末ＩＤが“３３３３”ではないため、不一致となる。そのため、Ｐｕｓｈ信号転送部４０８は、自端末とアドホック通信可能な他の携帯端末４０をアドホック通信部４０３を介して検索する。ここでは、携帯端末４０（＃２）が検索されたとする。次に、Ｐｕｓｈ信号転送部４０８は、携帯端末４０（＃２）にアドホック通信部４０３を介してアクセスしてアドホックネットワークを構築し、携帯端末４０（＃２）にＰｕｓｈ信号を転送する。
【００４１】
携帯端末４０（＃２）においては、照合部４０６は、携帯端末４０（＃１）から受信した信号にアドホックネットワーク構築命令が含まれているか否かを判断する。ここでは、アドホックネットワーク構築命令が含まれているため、照合部４０６は、Ｐｕｓｈ信号を受信したと判断し、Ｐｕｓｈ信号に含まれている探索端末ＩＤ“３３３３”と記憶部４０４に記憶されている自端末ＩＤとが一致するか否かを照合する。ここでは、自端末ＩＤが“３３３３”ではないため、不一致となる。そのため、Ｐｕｓｈ信号転送部４０８は、自端末とアドホック通信可能な他の携帯端末４０をアドホック通信部４０３を介して検索する。ここでは、携帯端末４０（＃３）が検索されたとする。次に、Ｐｕｓｈ信号転送部４０８は、携帯端末４０（＃３）にアドホック通信部４０３を介してアクセスしてアドホックネットワークを構築し、携帯端末４０（＃３）にＰｕｓｈ信号を転送する。
【００４２】
携帯端末４０（＃３）においては、照合部４０６は、携帯端末４０（＃２）から受信した信号にアドホックネットワーク構築命令が含まれているか否かを判断する。ここでは、アドホックネットワーク構築命令が含まれているため、照合部４０６は、Ｐｕｓｈ信号を受信したと判断し、Ｐｕｓｈ信号に含まれている探索端末ＩＤ“３３３３”と記憶部４０４に記憶されている自端末ＩＤとが一致するか否かを照合する。ここでは、自端末ＩＤが“３３３３”であるため、一致となる。そのため、ＧＰＳ部４０５は、自端末の位置情報を取得し、位置情報送信部４０７は、ＧＰＳ部４０５により取得された自端末の位置情報を、探索端末の位置情報として、アドホック通信部４０３を介して携帯端末４０（＃２）に送信する。
【００４３】
携帯端末４０（＃２）においては、位置情報転送部４０９は、携帯端末４０（＃３）からアドホック通信部４０３を介して受信した探索端末の位置情報を、アドホック通信部４０３を介して携帯端末４０（＃１）に転送する。また、位置情報の転送と同時に、アドホック通信部４０３は、携帯端末４０（＃３）との間で構築されたアドホックネットワークを切断する。こうすることで、消費電力を抑えることが可能となる。
【００４４】
携帯端末４０（＃１）においては、位置情報転送部４０９は、携帯端末４０（＃２）からアドホック通信部４０３を介して受信した探索端末の位置情報を、基地局通信部４０２を介して基地局３０に転送する。また、位置情報の転送と同時に、アドホック通信部４０３は、携帯端末４０（＃２）との間で構築されたアドホックネットワークを切断する。こうすることで、消費電力を抑えることが可能となる。
【００４５】
その後、基地局３０は、携帯端末４０（＃１）から受信した探索端末の位置情報を、ネットワーク２０を介して探索サーバ１０に転送する。よって、探索サーバ１０は、基地局３０から受信した探索端末の位置情報を基に、探索端末である携帯端末４０（＃３）の位置を割り出すことができる。
【００４６】
上述したように本実施形態においては、携帯端末４０は、基地局３０または他の携帯端末４０からＰｕｓｈ信号が転送されてくると、そのＰｕｓｈ信号に含まれている探索端末ＩＤと自端末ＩＤとが一致するか照合し、照合結果が一致を示す場合は、自端末の位置情報をＰｕｓｈ信号の転送元に送信する。一方、照合結果が不一致を示す場合は、他の携帯端末４０との間でアドホックネットワークを構築してＰｕｓｈ信号を転送し、その転送先から探索端末の位置情報が転送されてくると、探索端末の位置情報をＰｕｓｈ信号の転送元に転送する。
【００４７】
したがって、緊急時に、探索端末が圏外状態にあるケースにおいても、探索サーバ１０は、基地局３０経由で探索端末の位置情報を取得することができるため、例えば、災害時の生存確認や瓦礫の下に埋もれた被害者を探索する補助となり得る。
【００４８】
また、携帯端末４０がアドホックネットワークを構築する契機は、Ｐｕｓｈ信号を受信した時のみであるため、携帯端末４０がアドホックネットワークを無作為に構築して消費電力が増加し、通信時間が制限されてしまうことを回避できる。
【００４９】
なお、本実施形態においては、携帯端末４０のいずれかが基地局３０の通信エリア内に位置していることが前提となるため、例えば、緊急時に行動する公的機関（消防機関など）が保有する携帯端末４０を常に通信エリア内に配置しておくことが好ましい。
【００５０】
また、本実施形態においては、図４の例において、携帯端末４０（＃１），４０（＃２）は探索端末の位置情報を探索サーバ１０に転送するノードの役割を果たすだけであるため、位置情報の表示などを一切行わないことが好ましい。ただし、携帯端末４０（＃１）を上記のように公的機関の携帯端末４０とする場合は、位置情報の表示を行うこととしても良い。
【図面の簡単な説明】
【００５１】
【図１】本発明の一実施形態の携帯端末探索システムの構成を示す図である。
【図２】図１に示した携帯端末の構成を示すブロック図である。
【図３】図１に示した携帯端末の動作を説明するフローチャートである。
【図４】図１に示した携帯端末探索システムの全体動作を説明する図である。
【図５】従来の携帯端末探索動作を説明する図である。
【符号の説明】
【００５２】
１０    探索サーバ
２０    ネットワーク
３０    基地局
４０    携帯端末
４０１    アンテナ
４０２    基地局通信部
４０３    アドホック通信部
４０４    記憶部
４０５    ＧＰＳ部
４０６    照合部
４０７    位置情報送信部
４０８    Ｐｕｓｈ信号転送部
４０９    位置情報転送部
４１０    制御部
【図１】
2008206025.tif 000003
【図２】
2008206025.tif 000004
【図３】
2008206025.tif 000005
【図４】
2008206025.tif 000006
【図５】
2008206025.tif 000007